(57)【特許請求の範囲】
【請求項１】
下面側に開口部を有した外箱と、
前記外箱内に収納された位置と該外箱の開口部から下方に向けて突出した位置との間を昇降自在とされた収納棚と、
前記外箱の両内側面と前記収納棚の両外側面との間のそれぞれに上下方向に沿って設けられ、前記収納棚の昇降を案内する一対の昇降案内部とを備え、
前記昇降案内部は、前記外箱側に取り付けられる外箱側レールと、この外箱側レールに対向するように前記収納棚側に取り付けられる収納棚側レールと、これら各レールを前記外箱の内側面及び前記収納棚の外側面に対して斜め配置となるように前記外箱及び前記収納棚のそれぞれに取り付けるレール取付ベースとを備えていることを特徴とする昇降収納装置。
【請求項２】
請求項１において、
当該昇降収納装置の両側のそれぞれに設けられた外箱側レール及び収納棚側レールからなるレール対は、一方側のレール対が、他方側のレール対を平面視において左右反転させたような斜め配置となるように前記レール取付ベースによって保持されていることを特徴とする昇降収納装置。
【請求項３】
請求項２において、
前記レール対同士が平面視において手前側に向けて拡開するような斜め配置となるように前記レール取付ベースによって保持されていることを特徴とする昇降収納装置。
【請求項４】
請求項３において、
前記収納棚側レールを取り付けるレール取付ベースには、該収納棚側レールの手前側を覆うように前記外箱の内側面側に向けて突出する突片部が設けられていることを特徴とする昇降収納装置。
【発明の詳細な説明】
【技術分野】
【０００１】
本発明は、昇降する収納棚を備えた昇降収納装置に関する。
【背景技術】
【０００２】
従来よりキッチンスペース等の高所に取り付けられる外箱と、この外箱内に収納された位置と該外箱の下面側の開口から下方に突出した位置との間を昇降自在とされた収納棚とを備えた昇降収納装置が知られている。
このような昇降収納装置には、外箱の両側の内側面のそれぞれに該外箱に対して昇降する収納棚の昇降を案内するスライドレール等のガイドが設けられている（例えば、下記特許文献１参照）。
【先行技術文献】
【特許文献】
【０００３】
【特許文献１】特開２００７−１３０１９８号公報
【発明の概要】
【発明が解決しようとする課題】
【０００４】
しかしながら、上記のような外箱の両内側に設けられたスライドレールからなるガイドには、各レールの係合部等において、外箱や収納棚の加工誤差や吸放湿等による寸法変動等を吸収するため等の観点から、外箱の両側方向に沿う僅かな遊びが設けられる場合がある。このため、収納棚を昇降させる際に収納棚が傾き、がたつきが生じる場合があるという問題があった。
【０００５】
本発明は、上記実情に鑑みてなされたものであり、収納棚をスムーズに昇降させ得る昇降収納装置を提供することを目的としている。
【課題を解決するための手段】
【０００６】
上記目的を達成するために、本発明に係る昇降収納装置は、下面側に開口部を有した外箱と、前記外箱内に収納された位置と該外箱の開口部から下方に向けて突出した位置との間を昇降自在とされた収納棚と、前記外箱の両内側面と前記収納棚の両外側面との間のそれぞれに上下方向に沿って設けられ、前記収納棚の昇降を案内する一対の昇降案内部とを備え、前記昇降案内部は、前記外箱側に取り付けられる外箱側レールと、この外箱側レールに対向するように前記収納棚側に取り付けられる収納棚側レールと、これら各レールを前記外箱の内側面及び前記収納棚の外側面に対して斜め配置となるように前記外箱及び前記収納棚のそれぞれに取り付けるレール取付ベースとを備えていることを特徴とする。
【０００７】
本発明においては、当該昇降収納装置の両側のそれぞれに設けられた外箱側レール及び収納棚側レールからなるレール対を、一方側のレール対が、他方側のレール対を平面視において左右反転させたような斜め配置となるように前記レール取付ベースによって保持するようにしてもよい。
また、本発明においては、前記レール対同士を平面視において手前側に向けて拡開するような斜め配置となるように前記レール取付ベースによって保持するようにしてもよい。
また、本発明においては、前記収納棚側レールを取り付けるレール取付ベースに、該収納棚側レールの手前側を覆うように前記外箱の内側面側に向けて突出する突片部を設けてもよい。
【発明の効果】
【０００８】
本発明に係る昇降収納装置は、上述のような構成としたことで、収納棚をスムーズに昇降させることができる。
【図面の簡単な説明】
【０００９】
【図１】（ａ）〜（ｃ）は、いずれも本発明の一実施形態に係る昇降収納装置の一例を模式的に示し、（ａ）は、概略底面図、（ｂ）は、（ａ）におけるＸ部に対応させた一部破断概略拡大底面図、（ｃ）は、概略側面図である。
【図２】（ａ）、（ｂ）は、いずれも同昇降収納装置を模式的に示す一部省略概略正面図である。
【図３】（ａ）は、同昇降収納装置が備える昇降案内部を含む吊下昇降機構部の一例を模式的に示す概略斜視図、（ｂ）は、同吊下昇降機構部の概略分解斜視図である。
【発明を実施するための形態】
【００１０】
以下に本発明の実施の形態について、図面に基づいて説明する。
なお、一部の図では、他図に付している詳細な符号の一部を省略している。
また、図２では、開閉扉（前板）の図示を省略している。
本実施形態に係る昇降収納装置１は、図１及び図２に示すように、例えばキッチンスペース等の天井際等の高所に取り付けられる外箱１０と、食器や調理器具等の収納物が収納される収納棚２０とを備えている。
【００１１】
外箱１０は、図１及び図２に示すように、天板１１と左右の側板１２，１２と背板１３と前板１４とによって箱形状とされ、下面側に下向きに開口した開口部１５を有している。また、本実施形態では、外箱１０は、前板１４が左右の側板１２，１２の手前下端部間に架け渡されるように設けられた幕板１４とされ、前面側にも前方に向けて開口した開口部１６を有し、この開口部１６を開閉自在に覆う開閉扉１７を有している。この開閉扉１７は、例えば、一方の側板１２または天板１１に蝶番等の連結部材によって回動自在に連結されている。なお、このような開閉扉１７を設けずに、幕板１４に代えて、例えば表面が化粧面とされた化粧前板によって前面側を覆うようにしてもよい。または、回動自在とされた開閉扉に代えて、引き違いの引戸等を開閉扉として設けるようにしてもよい。
【００１２】
収納棚２０は、図１及び図２に示すように、天板２１と左右の側板２２，２２と背板２３と底板２４とによって前面側に開口する箱形状とされている。この収納棚２０は、図２（ａ）に示すように、外箱１０内に収納された位置（収納位置）と、図２（ｂ）に示すように、外箱１０の開口部１５から下方に向けて突出した位置（下降位置）との間を昇降自在とされている。また、この収納棚２０には、当該収納棚２０を昇降させる際に操作される操作バー２５が両側板２２，２２から垂れ下がり、架け渡されるように設けられている。なお、収納棚２０としては、更に棚板を内部に設けたものとしてもよく、図例のような板状部材によって箱形状とされたものに限られず、網状乃至は線状部材からなるラック状のものとしてもよい。
【００１３】
この収納棚２０は、図２（ａ）に示すように、外箱１０内に収納された状態において、操作バー２５を除く略全体が外箱１０内に収納される。また、収納棚２０は、図２（ｂ）に示すように、外箱１０の開口部１５から下方に向けて突出した状態において、上端部を除く略全体が外箱１０外に位置する（図１（ｃ）も参照）。
この収納棚２０の高さ寸法は、図２（ａ）に示すように、外箱１０内に収容された状態において、外箱１０の内側空間の高さ方向の略全体に亘って納まるよう該内側空間の高さ寸法よりも僅かに小さい寸法とされている。また、この収納棚２０の奥行寸法（前後方向の寸法）は、外箱１０の背板１３及び幕板１４によって区画された開口部１５の前後方向の寸法よりも僅かに小さい寸法とされている（図１（ａ）参照）。また、この収納棚２０の幅寸法（左右方向の寸法）は、図１（ａ）及び図２に示すように、外箱１０の左右の側板１２，１２の内側のそれぞれに設置された一対の昇降案内部４０，４０を含む吊下昇降機構ユニット３０，３０間に納まるような寸法とされている。
【００１４】
吊下昇降機構ユニット３０，３０は、収納棚２０を外箱１０に対して上下方向に昇降自在に案内するとともに吊り下げる吊下昇降機構部として機能する。これら吊下昇降機構ユニット３０，３０は、図１（ａ）及び図２に示すように、収納棚２０が収納された状態における収納棚２０の左右の側板２２，２２の外側面２２ａ，２２ａと外箱１０の左右の側板１２，１２の内側面１２ａ，１２ａとの間の空間にそれぞれ配設されている。これら吊下昇降機構ユニット３０，３０は、左右一対とされ、略同様の構成とされている。
これら吊下昇降機構ユニット３０，３０は、収納棚２０を吊り下げる吊下機構部３５と、収納棚２０の昇降を案内する昇降案内部４０とをそれぞれに備えている（図３も参照）。
【００１５】
吊下機構部３５は、外箱１０の左右の内側部のそれぞれに配設されており、図３に示すように、収納棚２０を外箱１０に対して吊り下げる紐状部材としての吊下ベルト（帯状部材）３７を巻装した巻取ドラム３６をそれぞれに備えている。また、吊下機構部３５は、この巻取ドラム３６を巻取方向（図３における反時計廻り）に付勢する（反巻取方向に回転される巻取ドラム３６の抵抗となる）付勢手段を備えている。この付勢手段としては、巻取ドラム３６内において、この巻取ドラム３６の回転軸となる固定軸３３廻りに配設された渦巻きばねとしてもよい。このような構成とすることで、巻取ドラム３６を巻取方向に付勢する付勢手段としての付勢ばねを巻取ドラム３６とは別に配設するスペースが不要となり、省スペース化を図ることができる。また、吊下ベルト３７を巻装した巻取ドラム３６内に付勢手段としての渦巻きばねを設けることで、ユニット化が図れ、組み付け作業を容易に行うことができる。
【００１６】
この付勢手段を含む左右の巻取ドラム３６，３６は、収納棚２０が収納された状態における収納棚２０の左右の側板２２，２２と外箱１０の左右の側板１２，１２との間の空間にそれぞれ配設されている。このような構成とすることで、収納棚２０の収納スペースを効率的に大きくすることができる。つまり、外箱１０の上方空間にこれらを配設するためのスペースが不要となり、収納棚２０の高さ方向の収納スペースを大きくすることができる。また、外箱１０の左右の内側部のそれぞれに設けられた一対の昇降案内部４０，４０を設けるためのスペースを、上記付勢手段を含む左右の巻取ドラム３６，３６を配設するためのスペースとして利用できるため、収納棚２０の両側方向の収納スペースを然程小さくすることなく、効率的に大きくすることができる。
【００１７】
また、本実施形態では、上記付勢手段を含む左右の巻取ドラム３６，３６は、外箱１０の左右の内側部のそれぞれに配設された一対の昇降案内部４０，４０よりも奥側（後方側）に配設されている。つまり、一対の昇降案内部４０，４０が一対の巻取ドラム３６，３６よりも前面側に配設されている。このような構成とすることで、開閉扉１７を開いた際に、収納棚２０の左右両側の前面側に昇降案内部４０，４０が配設されることとなるため、巻取ドラム３６，３６が目立ち難くなり、また、巻取ドラム３６，３６の巻取部位等に物品や指等を挟むようなことを防止することができる。
【００１８】
この巻取ドラム３６は、図３に示すように、固定軸３３に回転自在に支持されている。この固定軸３３は、外箱１０の側板１２の内側面１２ａに取付固定される吊下昇降機構ユニット３０の取付プレート３１とこの取付プレート３１の内方側（外箱１０の幅方向中心側）に対向配置されたカバープレート３２とに架け渡されるように支持されている。つまり、この固定軸３３は、外箱１０の側板１２の内側面１２ａに対して軸方向が垂直となるように配設されている。このような構成とすることで、外箱１０の両内側面１２ａ，１２ａと平行な垂直面域でこれら一対の巻取ドラム３６が回転するように配設されることとなる。従って、例えば、水平面域や外箱１０の両内側面と直交する垂直面域で回転するようなものと比べて、巻取ドラム３６の配設スペースを効率的に小さくすることができる。この結果、収納棚２０の両側方向の収納スペースをより効率的に大きくすることができる。
また、本実施形態では、外箱１０の各内側部にそれぞれ設けられた固定軸３３，３３同士が同軸状となるように、これらを外箱１０の各内側部において、前後及び上下で同位置となるように設けている。つまり、左右の巻取ドラム３６，３６同士を互いに対向させるように外箱１０の各内側部に設けている。このような構成とすることで、左右の吊下ベルト３７，３７をそれぞれの巻取ドラム３６，３６によって安定して巻き取り、また、繰り出すことができ、収納棚２０の昇降動作をスムーズに行うことができる。
【００１９】
巻取ドラム３６の外周部には、図３（ｂ）に示すように、ベルトガイド溝が設けられており、このベルトガイド溝に沿って吊下ベルト３７が巻装されている。
巻取ドラム３６から繰り出された吊下ベルト３７は、取付プレート３１とカバープレート３２との間に回転自在に支持された複数（図例では２個）のガイドローラー（プーリー）３４，３４に架け渡され、その一端（先端）が収納棚２０に連結されている。図例では、巻取ドラム３６の上方側に一方のガイドローラー３４を設け、このガイドローラー３４の前方側で吊下ベルト３７と昇降案内部４０とが干渉しない位置に他方のガイドローラー３４を設けた例を示している。また、吊下ベルト３７の先端が収納棚取付ブラケット３８に連結固定され、この収納棚取付ブラケット３８が収納棚２０の側板２２の外側面２２ａにボルトやねじ等の止具によって固定された例を示している（図１（ｃ）及び図２（ｂ）も参照）。吊下ベルト３７の他端（基端）は、巻取ドラム３６内に設けられたピン状の係止部等に係止固定されている。
【００２０】
昇降案内部４０，４０は、図１及び図２に示すように、外箱１０の左右の内側部のそれぞれに上下方向に沿って設けられている。これら昇降案内部４０，４０は、外箱１０の各内側部において、前後及び上下で同位置となるように設けられている。
この昇降案内部４０は、図１及び図３に示すように、外箱１０側に取り付けられる外箱側レール４１と、この外箱側レール４１に対向するように収納棚２０側に取り付けられる収納棚側レール４２とからなるレール対を備えている。また、外箱側レール４１を外箱１０に取り付ける外箱側レール取付ベース４３と、収納棚側レール４２を収納棚２０に取り付ける収納棚側レール取付ベース４５とを備えている。
【００２１】
外箱側レール４１は、図１（ｂ）に示すように、外箱側レール取付ベース４３に取付固定されるアウターメンバー４１ａと、このアウターメンバー４１ａにスライド自在に係合するインナーメンバー４１ｂとを備えている。
収納棚側レール４２は、外箱側レール４１と同様、収納棚側レール取付ベース４５に取付固定されるアウターメンバー４２ａと、このアウターメンバー４２ａにスライド自在に係合するインナーメンバー４２ｂとを備えている。
これら各レール４１，４２のアウターメンバー４１ａ（４２ａ）とインナーメンバー４１ｂ（４２ｂ）との間には、リテーナ（保持器）やこれに回転自在に保持されるボール等が設けられている。
また、本実施形態では、外箱側レール４１のインナーメンバー４１ｂと、収納棚側レール４２のインナーメンバー４２ｂとが一体的に連結固定されている。なお、これら各インナーメンバー４１ｂ，４２ｂを一体として中間レールとして把握してもよい。
【００２２】
これら外箱側レール４１及び収納棚側レール４２からなるレール対は、上記したように収納棚２０が収納位置と下降位置との間を昇降し得るように形成されている。
なお、これら外箱側レール４１及び収納棚側レール４２からなるレール対には、収納位置から上方への収納棚２０の移動及び下降位置から下方への収納棚２０の移動を抑制乃至は防止するクッション部材やストッパー部材を設けるようにしてもよい。また、これに代えて、または加えて、収納棚２０の収納位置及び下降位置を保持するストッパー部材を収納棚２０及び外箱１０に設けるようにしてもよい。また、これら外箱側レール４１及び収納棚側レール４２からなるレール対としては、図例のものに限られず、外箱１０の左右の内側部に上下方向に沿ってそれぞれ設けられ、収納棚２０の昇降を案内するガイドレールであればどのようなものでもよい。
【００２３】
各レール取付ベース４３，４５は、図１（ａ）、（ｂ）に示すように、各レール４１，４２を外箱１０の内側面１２ａ及び収納棚２０の外側面２２ａに対して斜め配置となるように外箱１０及び収納棚２０のそれぞれに取り付ける構成とされている。つまり、互いに向き合うように配置された各レール４１，４２の対向面（凹凸等があるが相手側に凡そ向いた面）を含む面域と、外箱１０の内側面１２ａ及び収納棚２０の外側面２２ａとが平行ではなく交差するように各レール４１，４２を保持している。図例では、上記対向面を含む面域と外箱１０の内側面１２ａ及び収納棚２０の外側面２２ａとのなす角が略４５度（略１３５度）となるように各レール取付ベース４３，４５によって各レール４１，４２を保持させた例を示している。
【００２４】
また、本実施形態では、図１（ａ）に示すように、当該昇降収納装置１の両側のそれぞれに設けられた外箱側レール４１及び収納棚側レール４２からなるレール対を、一方側のレール対が、他方側のレール対を平面視において左右反転させたような斜め配置となるように各レール取付ベース４３，４５によって保持している。図例では、レール対４１，４２，４１，４２同士が平面視において手前側に向けて拡開するような斜め配置となるように各レール取付ベース４３，４５によって保持させた例を示している。つまり、一方のレール対４１，４２の上記対向面と他方のレール対４１，４２の上記対向面とが平面視において手前側（開閉扉１７（または前板）側）に向けて拡開するように各レール対４１，４２，４１，４２を斜めに配置している。
【００２５】
外箱側レール取付ベース４３は、図１（ｂ）及び図３（ｂ）に示すように、上下方向に沿って長尺に形成されるとともに、四角柱形状の手前側角部を切り欠いたような形状とされ、外箱１０の側板１２側に開口した中空部（肉盗み部）を有している。上記切り欠かれた部位には、斜め手前内側に向けて開口した凹部４３ａが設けられており、この凹部４３ａが外箱側レール４１の固定部となる。つまり、外箱側レール取付ベース４３は、斜め手前内側に向く外箱側レール４１の固定面部（凹部４３ａの凹底面部）を有している。
図例では、この凹部４３ａに外箱側レール４１のアウターメンバー４１ａが嵌め込まれるようにして固定された例を示している。このアウターメンバー４１ａの凹部４３ａへの固定は、ボルトやねじ等の止具によって固定するようにしてもよい。
この外箱側レール取付ベース４３は、外箱１０の内側面１２ａに取り付けられる取付プレート３１に上下方向に沿って取り付けられる。図例では、この外箱側レール取付ベース４３の前面及び後面のそれぞれに溶接やボルト等によって固着されたＬアングル４４，４４を介して、ボルトやねじ等の止具によって当該外箱側レール取付ベース４３を取付プレート３１に取り付けた例を示している。
【００２６】
収納棚側レール取付ベース４５は、図１（ｂ）及び図３（ｂ）に示すように、上下方向に沿って長尺に形成されるとともに、中空乃至は肉盗み部を有した三角柱形状とされている。図例では、略直角二等辺三角柱形状とされ、斜め後外側を向くように配置された底辺面部が収納棚側レール４２の固定部４５ａとなり、この固定部４５ａにボルトやねじ等の止具によって収納棚側レール４２のアウターメンバー４２ａが固定される。つまり、収納棚側レール取付ベース４５は、斜め後外側に向く収納棚側レール４２の固定面部（固定部４５ａ）を有している。
また、収納棚２０の側板２２側を向くように配置された等辺面部が収納棚２０の側板２２に取り付けられる取付部４５ｂとされ、この取付部４５ｂを介して、ボルトやねじ等の止具によって当該収納棚側レール取付ベース４５が収納棚２０の側板２２に取り付けられる。
また、前面側に向くように配置された等辺面部は、収納棚側レール４２の手前側を覆うように外箱１０の内側面１２ａ側に向けて突出するように配置され、この等辺面部が収納棚側レール４２の手前側を覆う前面カバー部（突片部）４５ｃとなる。
【００２７】
上記構成とされた本実施形態に係る昇降収納装置１によれば、収納棚２０をスムーズに昇降させることができる。つまり、本実施形態に係る昇降収納装置１は、各レール４１，４２を外箱１０の内側面１２ａ及び収納棚２０の外側面２２ａに対して斜め配置となるように外箱１０及び収納棚２０のそれぞれに取り付けるレール取付ベース４３，４５を備えている。従って、これら各レール４１，４２間に形成される遊びに起因する収納棚２０の両側方向へのがたつきを小さくすることができ、収納棚２０をスムーズに昇降させることができる。
【００２８】
また、本実施形態では、外箱側レール４１及び収納棚側レール４２からなる左右一対のレール対を、一方側のレール対が、他方側のレール対を平面視において左右反転させたような斜め配置となるようにレール取付ベース４３，４５によって保持するようにしている。従って、例えば、両側のそれぞれのレール対を互いに平行に斜め配置とする場合と比べて、収納棚２０の両側方向へのがたつきをより小さくできるとともに、前後方向へのがたつきも小さくでき、収納棚２０をよりスムーズに昇降させることができる。
【００２９】
また、本実施形態では、左右一対のレール対４１，４２同士を、平面視において手前側に向けて拡開するような斜め配置となるようにレール取付ベース４３，４５によって保持するようにしている。従って、例えば、逆側に拡開するような斜め配置とした場合と比べて、昇降案内部４０の組み付け作業や、外箱１０に取り付けた後のメンテナンス等を容易に行うことができる。
さらにまた、本実施形態では、収納棚側レール取付ベース４５に、収納棚側レール４２の手前側を覆う突片部としての前面カバー部４５ｃを設けている。従って、収納棚２０を下降させた位置において、前面カバー部４５ｃによって収納棚側レール４２を目立ち難くすることができ、見栄えを向上させることができる。
【００３０】
また、本実施形態では、巻取ドラム３６を巻取方向に付勢する付勢手段を組み込み、ユニット化した吊下機構部３５を採用し、さらにこの吊下機構部３５と昇降案内部４０とをユニット化して吊下昇降機構ユニット３０としている。従って、組み付け時における取り扱い性を向上させることができる。
さらに、本実施形態では、収納棚２０の昇降を案内する昇降案内部４０を、吊下機構部３５よりも前面側に設けている。つまり、収納棚２０の前後方向中間部位に配設することが好ましい昇降案内部４０を吊下機構部３５よりも前面側に設けた位置関係とすることで、吊下昇降機構ユニット３０を外箱１０内の奥側に配置することができ、これらを効率的に目立ち難くすることができる。
【００３１】
なお、上記した例では、吊下機構部３５及び昇降案内部４０をユニット化して吊下昇降機構ユニット３０とした例を示しているが、それぞれを別部材として組み付けるものとしてもよい。
また、上記した例では、収納棚２０を外箱１０に対して吊り下げる紐状部材として帯状の吊下ベルト３７を例示しているが、このような帯状部材に代えて、ワイヤー等の紐状の部材としてもよい。
さらに、上記した例では、吊下機構部３５の巻取ドラム３６の回転軸を外箱１０の側板１２の内側面１２ａに対して軸方向が垂直となるように配設した例を示しているが、例えば、水平面域や外箱１０の両内側面１２ａと直交する垂直面域で回転するように回転軸を配設するようにしてもよい。
さらにまた、上記した例では、上記付勢手段を含む一対の巻取ドラム３６，３６を外箱１０の左右両内側部に設けた例を示しているが、これらを外箱１０の天板１１と収納棚２０の天板２１との間や、外箱１０の背板１３と収納棚２０の背板２３との間に配設するようにしてもよい。この場合は、単一の巻取ドラム及びこの巻取ドラムを巻取方向に付勢する単一の付勢手段によって吊下機構部を構成するようにしてもよい。また、付勢手段としては、渦巻きばねに限られず、コイルスプリングやトーションばね、竹の子ばね等の他の付勢ばねやゴム等の弾性体を採用するようにしてもよい。
【００３２】
さらには、収納棚２０を吊り下げる吊下機構部としては、上記のように巻取ドラムとこれを巻取方向に付勢する付勢手段とを備えたものに限られず、プーリー等に架け渡された紐状部材の一端に収納棚を連結し、他端にバラスト等の錘を連結した釣り合い式の吊下機構部を採用するようにしてもよい。または、電動モーター等を備えた電動式の吊下機構部を採用するようにしてもよい。
【００３３】
また、本実施形態では、一対の昇降案内部４０，４０のレール対４１，４２同士を平面視において手前側に拡開するように斜めに配置した例を示しているが、これらを背面側に拡開するように斜めに配置するようにしてもよい。このような態様によっても、上記同様、両側のそれぞれのレール対を互いに平行に斜め配置とする場合と比べて、収納棚２０の両側方向へのがたつきをより小さくできるとともに、前後方向へのがたつきも小さくでき、収納棚２０をよりスムーズに昇降させることができる。さらには、両側のそれぞれのレール対を互いに平行に斜め配置とするようにしてもよい。このような態様によっても外箱１０の内側面１２ａ及び収納棚２０の外側面２２ａに対して上記対向面を平行に配置したような従来のものと比べて、各レール４１，４２間に形成される遊びに起因する収納棚２０の両側方向へのがたつきを小さくすることができ、収納棚２０をスムーズに昇降させることができる。
【００３４】
さらに、本実施形態では、外箱側レール取付ベース４３をＬアングル４４及び取付プレート３１を介して外箱１０の内側面１２ａに取り付けた例を示しているが、外箱側レール取付ベース４３を直接的に外箱１０の内側面１２ａに取り付けるようにしてもよい。
さらにまた、本実施形態では、収納棚側レール取付ベース４５を直接的に収納棚２０の外側面２２ａに取り付けた例を示しているが、外箱側レール取付ベース４３と同様、Ｌアングルやプレート等を介して収納棚２０の外側面２２ａに取り付けるようにしてもよい。
また、本実施形態では、収納棚側レール取付ベース４５に、収納棚側レール４２の前面側を覆う突片部としての前面カバー部４５ｃを設けた例を示しているが、少なくとも収納棚側レール４２を固定する固定部４５ａと、収納棚２０側に取り付けられる取付部４５ｂとを備えたものとしてもよい。
【符号の説明】
【００３５】
１          昇降収納装置
１０        外箱
１２ａ      外箱の内側面
１５        開口部
２０        収納棚
２２ａ      収納棚の外側面
４０        昇降案内部
４１        外箱側レール
４２        収納棚側レール
４３        外箱側レール取付ベース
４５        収納棚側レール取付ベース
４５ｃ      前面カバー部（突片部）
【図１】
0005536627.tif 000002
【図２】
0005536627.tif 000003
【図３】
0005536627.tif 000004